(57)【特許請求の範囲】
【請求項１】
基体と、
この基体の前後方向の後端に設けられた背部体と、
上記基体に前端部を支点として後端が上昇する方向に回動可能に設けられた座部体と、
この座部体を回動駆動する駆動手段とを具備し、
上記座部体は、前端部を支点として後端が上昇する方向に回動させられたときに、前端部側が座部体の回動方向と逆方向に回動する構成であることを特徴とする椅子。
【請求項２】
上記座部体は、前端部が上記基体に回動可能に連結された座フレームと、固定部及びこの固定部に一端が回動可能に連結された可動部とに分割され、上記固定部が上記座フレームの上面の後端部側に固定され上記可動部が上記座フレームの上面の前端部側に位置する座板とから構成され、
上記基体には、上記座部体を上昇方向に回動させたときに上記座板の可動部の他端部に当接してこの可動部を座部体の回動方向と逆方向に回動させる当接部材が設けられていることを特徴とする請求項１記載の椅子。
【請求項３】
上記座板の可動部には、上面がこの可動部の上記固定部に連結された一端から座部体の先端に位置する他端に向かって高く傾斜した傾斜面に形成された滑り止め部材が設けられていることを特徴とする請求項２記載の椅子。
【発明の詳細な説明】
【０００１】
【発明の属する技術分野】
この発明は足腰の筋力が低下した人が使用するのに好適する椅子に関する。
【０００２】
【従来の技術】
足腰の筋力が弱っている利用者は椅子の座部体に座ったり、立ち上がることが容易でなく、介助者の介助が必要なことがある。しかしながら、介助者が足腰の筋力が弱っている利用者を椅子から立ち上がらせたり、座らせる場合、介助者に掛かる負担が大きくなる。そのため、介助者に掛かる負担を軽減することが望まれている。
【０００３】
一般に、椅子は利用者が着座するための座部体を有する。この座部体は通常、脚体にほぼ水平に設けられている。そのため、上記座部体に着座するとき、利用者は臀部を座部体の高さ位置まで深く降ろさなければならないから、その動作が足腰に大きな負担を掛けることになる。
【０００４】
また、利用者が立ち上がるときには、座部体に深く降ろした臀部を上げなければならず、しかも脚部を曲げた状態から伸ばさなければならないから、座るとき以上に大きな負担となる。
【０００５】
利用者を椅子に座らせたり、立ち上がらせる時の介助者の負担を軽減するために、実公昭６１−３４０１号公報に示される椅子が提案されている。この椅子は座部体が前端側を支点として回動可能に設けられ、この座部体がばねによって前端側を支点として後端側が上昇する方向に付勢されている。
【０００６】
上記座部体はばねの付勢力に抗してほぼ水平な状態で保持できるようになっている。そのため、利用者が着座するときには、座部体の保持状態を解除してばねの付勢力で傾斜状態にする。それによって、利用者は臀部をわずかに降ろすことで、上記座部体に当てることができるから、比較的楽に座ることができ、立ち上がるときには上昇方向に付勢された座部体によって臀部が押し上げられるから、その場合も比較的楽に立ち上がることが可能となる。
【０００７】
【発明が解決しようとする課題】
ところで、臀部が座部体によって押し上げられながら利用者が立ち上がるとき、座部体が回動するにつれてその上面がなす角度が大きくなる。そのため、座部体の上面に押し当てた利用者の臀部がこの座部体の上面で上方から下方へ滑ることがある。
【０００８】
臀部が座部体の上面で下方へ滑ると、利用者の足腰に掛かる負担が大きくなる。そのため、足腰が弱い利用者の場合には足腰がふらつき、安定した状態で立ち上がることができないことがある。
【０００９】
この発明は、座部体を上昇方向に回動させて利用者が立ち上がるとき、利用者の臀部が座部体の上面で滑りにくいようにした椅子を提供することにある。
【００１０】
【発明が解決しようとする課題】
請求項１の発明は、基体と、
この基体の前後方向の後端に設けられた背部体と、
上記基体に前端部を支点として後端が上昇する方向に回動可能に設けられた座部体と、
この座部体を回動駆動する駆動手段とを具備し、
上記座部体は、前端部を支点として後端が上昇する方向に回動させられたときに、前端部側が座部体の回動方向と逆方向に回動する構成であることを特徴とする椅子にある。
【００１１】
請求項２の発明は、上記座部体は、前端部が上記基体に回動可能に連結された座フレームと、固定部及びこの固定部に一端が回動可能に連結された可動部とに分割され、上記固定部が上記座フレームの上面の後端部側に固定され上記可動部が上記座フレームの上面の前端部側に位置する座板とから構成され、
上記基体には、上記座部体を上昇方向に回動させたときに上記座板の可動部の他端部に当接してこの可動部を座部体の回動方向と逆方向に回動させる当接部材が設けられていることを特徴とする請求項１記載の椅子にある。
【００１２】
請求項３の発明は、上記座板の可動部には、上面がこの可動部の上記固定部に連結された一端から座部体の先端に位置する他端に向かって高く傾斜した傾斜面に形成された滑り止め部材が設けられていることを特徴とする請求項２記載の椅子にある。
【００１４】
この発明によれば、利用者が立ち上がるときに、座部体を上昇方向に回動させると、座部体の前端部が回動方向と逆方向に回動して屈曲するから、屈曲した前端部によって利用者の臀部が所定角度で起立した座部体の上方から下方へ滑るのが阻止される。
【００１５】
【発明の実施の形態】
以下、この発明の一実施の形態を図面を参照して説明する。
【００１６】
図１と図２はこの発明のリクライニング式の椅子を示し、この椅子は基体１を備えている。この基体１は所定間隔で平行に離間した一対の脚部材２を有する。各脚部材２には枠状体３が設けられ、一対の枠状体３の上部後端は後部連結部材４によって連結され、前端は前部連結部材５によって連結されている。
【００１７】
上記基体１の前後方向後端には背部体６が設けられている。この背部体６は、図３と図４に鎖線で示すように下端部の幅方向両端に連結片７（一方のみ図示）が設けられ、これらの連結片７を枠状体３の前後方向後端に回動可能に連結している。それによって、背部体６は枠状体３に連結された下端部を支点として前後方向に回動可能となっている。
【００１８】
図１と図２に示すように、上記前部連結部材４の長手方向両端部には一対の取付け片８が立設されている。この取付け片８の上端部には座部体１１の前端部が回動可能に連結されている。この座部体１１は座フレーム１２と、この座フレーム１２の上面に設けられた座板１３を有する。座板１３は、図５に示すように座フレーム１２の後端側に固定された固定部１３ａと、この固定部１３ａに一端がヒンジ１４によって回動可能に連結され座フレーム１２の前端側に位置する可動部１３ｂとに分割されている。
【００１９】
上記可動部１３ｂの上面には、半硬質のウレタンフォームなどによって形成された滑り止め部材１５が固定されている。この滑り止め部材１５の上面は、上記可動部１３ｂの上記固定部１３ａに連結された一端から他端に向かって高く傾斜した傾斜面１５ａに形成されている。
【００２０】
上記前部連結部材５の両端部にはそれぞれブラケット１６が設けられている。これらブラケット１６には足載せフレーム１７の下面の一端部にほぼ直角に設けられた連結アーム１８が枢着されている。
【００２１】
図３と図４に示すように、上記一対の取付け片８の下端部には、取付け軸２１の両端部がそれぞれ回動可能に支持されている。この取付け軸２１の長手方向中途部には第１のアーム２２の一端が固着されている。
【００２２】
上記第１のアーム２２は駆動手段を構成する駆動機構２３によって駆動される。この駆動機構２３は筒状体２４を有し、この筒状体２４には駆動軸２５が進退可能に設けられている。この駆動軸２５は上記筒状体２４の一端に設けられた駆動源２６によって軸方向に進退駆動される。
【００２３】
上記基体１の一対の脚部材２の後端部には横部材２７が架設されている。この横部材２７の中央部には取付け部材２８が設けられている。この取付け部材２８には上記駆動源２６が枢着されている。
【００２４】
上記駆動軸２５の先端は上記第１のアーム２２の他端に枢着されている。それによって、上記駆動軸２５が進退駆動されると、それに連動して上記取付け軸２１が回転駆動されるようになっている。上記駆動軸２５は、筒状体２４に対して図３に示す中立位置と、この中立位置から図４に示すように筒状体２４内に後退する後退位置及び図示しないが中立位置に比べて筒状体２４から突出する方向に駆動される前進位置との３つの状態に駆動されるようになっている。
【００２５】
上記取付け軸２１には、第１のアーム２２に対し周方向に角度をずらした一対の第２のアーム３１の一端が固着されている。この第２のアーム３１の他端にはローラ３２が回転可能に設けられている。上記ローラ３２は、上記座部体１１の座フレーム１２に前後方向に沿って設けられたアングル材からなるレール３３に転接している。
【００２６】
したがって、上記第２のアーム３１が図３に示す倒伏状態から図４に示す起立方向に回動すれば、上記ローラ３２によって上記座部体１１が上記取付け片８に連結された前端部を支点として後端側が上昇する方向に回動させられる。
【００２７】
図２に示すように、上記座部体１１の座フレーム１２の幅方向両側には保護板３４（一方のみ図示）が設けられている。この保護板３４は座部体１１を上昇方向に回動させたときに、座部体１１の下面と基体１の上面との間に利用者の身体の一部が入り込むのを防止する。それによって、座部体１１を上昇位置から下降させるときに、座部体１１下面と基体１上面との間にたとえば手などを挟むのを防止できる。
【００２８】
上記取付け軸２１には図３に鎖線で示すように第３のアーム３５の一端が固着されている。この第３のアーム３５の他端にはピン３６が設けられ、このピン３６は第４のアーム３７の一端部に形成された長孔３８にスライド可能に係合している。上記第４のアーム３７の他端は、上記足載せフレーム１７の裏面に設けられた連結片３９に枢着されている。
【００２９】
上記駆動機構２３の駆動軸２５が図３に示す中立位置から前進方向に駆動されると、第３のア−ム３５のピン３６を介して第４のアーム３７の一端部が押圧されるから、足載せフレーム１７が図３に示すほぼ垂直に倒伏した状態から上昇方向に回動する。
【００３０】
図４に示すように、上記駆動軸２５を中立位置から後退方向に駆動して上記座部体１１を上昇させると、取付け軸２１とともに回動する第３のアーム３５の他端に設けられたピン３６を介して第４のアーム３７を後方へ引く。それによって、足載せフレーム１７は図３に示すほぼ垂直な状態から図４に示すように上端部を支点として下端側が後方へ回動する。
【００３１】
上記背部材６の下端にはＬ字状の連結部材４１が設けられている。この連結部材４１には、図４に鎖線で示すように第５のアーム４０の一端が枢着されている。この第５のアーム４０の他端には図示しない第６のアームの一端が枢着されている。この第６のアームの他端は上記取付け軸２１に固着されている。
【００３２】
上記駆動軸２３が図３に示す中立位置にあるとき、第５のアーム４０と第６のアームとは屈曲している。上記駆動軸２３が図３に示す中立位置から図４に示す後退方向に駆動されると、第５のアーム４０と第６のアームとが屈曲状態から一直線に伸びるため、背部体６は基体１と連結片７との連結部を支点として起立方向に回動する。
【００３３】
上記駆動軸２３が図３に示す中立状態から前進方向に駆動されると、第５のアーム４０と第６のアームとはさらに屈曲するため、背部体６は図３に示す状態よりもさらに後方へ倒伏する。
【００３４】
上記基体１の前部連結部材５には当接部材４２が設けられている。この当接部材４２は棒材をＬ字状に折曲しその一端を上記前部連結部材５の前側の側面に固着した一対の取付け棒４２ａと、この取付け棒４２ａの他端に両端を固着した当接棒４２ｂとからなる。当接棒４２ｂは、座部体１１が図３に示すようにほぼ水平に倒伏した状態で、座板１３の可動部１３ｂの先端部下面に当接している。
【００３５】
したがって、座部体１１が図３に示す状態から図４に示すように起立方向に回動させられると、床板１３の可動部１３ｂは上記当接棒４２ｂとの当接によって固定部１３ａに連結された一端部を支点として座部体１１の回動方向と逆方向である、起立方向に回動する。
【００３６】
上記座部体１１の上面と上記足載せフレーム１７の上面とには、これら全体にわたるクッション体４３が設けられている。さらに、座部体１１の幅方向両側には肘かけ体４４（一方のみ図示）が設けられている。
【００３７】
つぎに、上記構成の椅子を利用する場合について説明する。
【００３８】
図３に示すように、利用者Ｕが座部体１１に座った状態から立ち上がる場合、駆動機構２３の駆動源２６を作動させて駆動軸２５を筒状体２４内に入り込む方向に駆動する。それによって、図４に示すように、座部体１１の座フレーム１２は、取付け片８に連結された前端部を支点として座板１３とともに後端が上昇する方向に回動する。
【００３９】
座部体１１が上昇すると、この座部体１１に着座した利用者Ｕの臀部が斜め上方に押し上げられる。そのため、利用者Ｕは両手で肘かけ体４４をつかみながら座部体１１の回動上昇とともに立ち上がることができる。
【００４０】
座部体１１が回動上昇すると、利用者Ｕの臀部が傾斜した座部体１１の上面を上方から下方へ滑る虞がある。しかしながら、座部体１１が上昇方向に回動すると、座部体１１の座板１３の可動部１３ｂは、前端部下面が当接部材４２の当接棒４２ｂに当接しているため、図４に示すように固定部１３ａとの連結端を支点として座部体１１の回動方向と逆方向に回動上昇する。つまり、座板１３の可動部１３ｂは固定部１３ａに対して上方に所定の角度で屈曲する。
【００４１】
そのため、座部体１１が上昇方向に回動しても、利用者Ｕの臀部は固定部１３ａに対して上方へ屈曲した可動部１３ｂによって座部体１１の下方へ滑るのが阻止される。しかも、可動部１３ｂの上面には傾斜面１５ａを有する滑り止め部材１５が設けられているから、可動部１３ｂが固定部１３ａに対して屈曲することで、上記傾斜面１５ａが図４に示すようにほぼ水平になる。そのため、この傾斜面１５ａによって利用者Ｕの臀部が座部体１１の下方へ滑ることがないよう確実に保持される。
【００４２】
このように、座部体１１を上昇方向に回動させても、利用者Ｕの臀部が座部体１１を滑り落ちないよう保持され、利用者Ｕの足腰に急激な負担が掛かるのを防止することができるから、利用者Ｕは安定した状態で確実に立ち上がることが可能となる。
【００４３】
この発明は上記一実施の形態に限定されるものでない。たとえば、上記一実施の形態では、座部体を座フレームと座板とから構成したが、固定部と可動部とからなる座板だけによって座部体を形成するようにしてもよい。その場合、座板の固定部を基体に回動可能に連結すればよい。
【００４４】
また、座板の可動部に、この可動部と別部品である滑り止め部材を設けるようにしたが、可動部と滑り止め部材とはたとえば樹脂などによって一体成形してもよい。
【００４５】
また、駆動手段としての駆動機構は、駆動軸を駆動源によって軸方向に進退駆動する代わりに、基体と座部体との間にガススプリングを設け、このガスプリングによって座部体を上昇方向に回動させるようにしてもよい。
【００４６】
【発明の効果】
以上のようにこの発明によれば、座部体を上昇方向に回動させて利用者が立ち上がるとき、座部体の前端部側を座部体の回動方向と逆方向に回動させるようにした。
【００４７】
そのため、座部体の上面に押し当てた利用者の臀部は、座部体が回動上昇しても、その上面を下方へ滑り難くなるから、利用者が立ち上がるときに、足腰に急激な負担が掛かるのを防止することができる。
【図面の簡単な説明】
【図１】この発明の一実施の形態を示す椅子の一部省略した斜視図。
【図２】図１の椅子から座部体の座板を取り除いた斜視図。
【図３】座部体を上昇させる前の状態の側面図。
【図４】座部体を上昇させた側面図。
【図５】座板の断面図。
【符号の説明】
１…基体
６…背部体
１１…座部体
１２…座フレーム
１３…座板
１３ａ…固定部
１３ｂ…可動部
１５…滑り止め部材
２３…駆動機構（駆動手段）
【図１】
0004146663.tif 000002
【図２】
0004146663.tif 000003
【図３】
0004146663.tif 000004
【図４】
0004146663.tif 000005
【図５】
0004146663.tif 000006